(57)【特許請求の範囲】
【請求項１】
ＡＴＭモードでネットワーク・セルを搬送し、端末を備える電気通信回線（ＶＲ−ＶＥ）に接続される端末装置であって、該端末装置が、
電気通信回線の受信チャネル（ＶＲ）を介して受信されるすべてのネットワーク・セル（ＣＲ）を端末（ＴＥ）に同報通信するための同報通信手段（１）と、
端末（ＴＥ）によって生成されるセル（ＣＥ）を収集し、それらを電気通信回線の放出チャネル（ＶＥ）で送信するための収集手段（２）と
を備えており、
前記同報通信手段（１）は、受信デジタル・リンク（ＢＲ）中の受信チャネル（ＶＲ）を介して受信したネットワーク・セルを再生成するための入力手段（１１）と、それぞれ再生成されたすべてのセルを少なくとも１つの端末を含む複数のローカル・ループ（ＢＬ０〜ＢＬ（Ｑ−１））に同時に再送信するための、受信リンクに接続される複数の出力手段（１２０〜１２（Ｑ−１））とを備えており、
前記収集手段（２）は、ループ中のそれぞれの端末（ＴＥ）によって生成されるセル（ＣＥ）を同期し、再生成するための、ローカル・ループにそれぞれ接続される複数の入力手段（２２０〜２２（Ｑ−１））と、１サイクルあたり少なくとも１つのセルを含むバッファ・メモリだけを読み取ることによって、再生成したセルを放出デジタル・リンク（ＢＥ）でセルごとに循環的に送信するための複数のバッファ・メモリ（２２０〜２２（Ｑ−１））と、送信デジタル・リンクからのセルを送信チャネル（ＶＥ）で送信するための出力手段（２３）とを備えている
ことを特徴とする端末装置。
【請求項２】
同報通信手段（１）が、受信チャネル（ＶＲ）からのネットワーク・セル（ＣＲ）をマーキングするための手段（１３）を備え、収集手段（２）が、マーキング済みネットワーク・セル（ＣＲＭ）が放出チャネル（ＶＥ）で再放出されないようにするために、端末に同報通信されるマーキング済みネットワーク・セル（ＣＲＭ）をなくするための手段（２４）を備える請求項１に記載の端末装置。
【請求項３】
前記マーキング手段（１３）が、受信デジタル・リンク（ＢＲ）中の入力手段（１１）と、前記複数の出力手段（１２０〜１２（Ｑ−１））との間に接続され、ネットワーク・セル（ＣＲ）のヘッダ中の所定のフィールドの状態（ＧＦＣ）を変更し、次いでヘッダの誤差制御フィールド（ＨＥＣ）を再計算し、前記なくする手段（２４）が、バッファ・メモリ（２２０〜２２（Ｑ−１））中のマーキング済みネットワーク・セル（ＣＲＭ）の書込みを禁止し、端末によって生成される未マークのセル（ＣＥ）の書込みだけを許可し、その結果これらのセルが放出デジタル・リンク（ＢＥ）で送信される請求項２に記載の端末装置。
【請求項４】
端末によって生成されるＡＴＭ相互接続セル（ＣＩ）を、受信したネットワーク・セル（ＣＲ）と共に端末に同報通信するために、そのセルを収集手段（１ｉ）から同報通信手段（２ｉ）に切り替えるための手段（２５、１５）を備える請求項１から３のいずれか一項に記載の端末装置。
【請求項５】
前記交換手段が、受信デジタル・リンク（ＢＲ）中の空セル位置を検出するための第１手段（１１、１６）と、放出デジタル・リンク（ＢＥ）からのセル中の所定の第１アドレス指定フィールド（ＶＣＩ＜ＭＴ）読取りに応答して、相互通信セル（ＣＩ）を検出し、放出デジタル・リンク（ＢＥ）からのセル中の所定の第２アドレス指定フィールド読取り（ＶＣＩ≧ＭＴ）に応答して端末によって生成されるセル（ＣＥ）を検出するための第２手段（２５）と、検出した相互接続セル（ＣＩＭ）が第２検出手段（２５）の制御の下で書き込まれ、第１検出手段（１１、１６）の制御の下で読み取られ、それによって検出した相互接続セル（ＣＩＭ）が受信デジタル・リンク（ＢＲ）中の空セル位置中に導入されるバッファ・メモリ（１５）とを備える請求項１または４に記載の端末装置。
【請求項６】
各アドレス指定フィールドが、ＡＴＭセルのヘッダ中の仮想パスおよび仮想チャネル識別子フィールド（ＶＰＩ／ＶＣＩ）の少なくとも一部である請求項５に記載の端末装置。
【請求項７】
交換手段が、相互通信セルのヘッダ中の所定のフィールド（ＧＦＣ）の状態を変更することによって、検出した相互通信セル（ＣＩ）をマーキングするための手段（２７）と、相互通信セルのヘッダ中エラー制御フィールド（ＨＥＣ）を再計算するための手段（２７）を備える請求項５または６に記載の端末装置。
【請求項８】
交換手段が、検出した相互接続セル（ＣＩ）の第１アドレス指定フィールド（ＶＣＩ＜ＭＴ）を、第２アドレス指定フィールド（ＶＣＩ≧ＭＴ）にマッピング・テーブルに従って変換するための手段（２７）を備える請求項７に記載の端末装置。
【請求項９】
所定のフィールドが、フロー制御フィールド（ＧＦＣ）の少なくとも一部である請求項３、７及び８のいずれか一項に記載の端末装置。
【請求項１０】
同報通信手段（１）および収集手段（２）が、すべての受信したネットワーク・セル（ＣＲ）が同報通信であるデジタル・ローカル・ループによって接続され、ループのうちの少なくとも１つが端末（ＴＥ２０）、またはカスケード接続の複数の端末（ＴＥ００〜ＴＥ０（Ｎ−１））、および／または他の少なくとも１組の同報通信手段および収集手段（１ａ−２ａ、１ｂ−２ｂ）を含む請求項１から９のいずれか一項に記載の端末装置。
【請求項１１】
各端末（ＴＥ０ｎ）が、少なくとも同報通信ネットワーク・セル（ＣＲ）を受信するための受信機手段（３１）と、受信したセル間の空セル位置以外に端末（ＴＥ０ｎ）によって生成されるセル（ＣＥｎ）を挿入するための手段（３４、３５、３６）と、受信したセルおよび端末によって生成されたセルを収集手段（２）に放出するためのエミッタ手段（３２、３３）とに接続される請求項１から１０のいずれか一項に記載の端末装置。
【請求項１２】
各端末（ＴＥ０ｎ）に対する挿入手段が、受信したセル（ＣＲ、ＧＦＣ＝「０００１」  ｏｕ  ＧＦＣ＝「００００」）を検出し、それによって、受信機手段（３１）とエミッタ手段（３２、３３）との間での受信したネットワーク・セルの転送の間に、端末によって生成されるどのセル（ＣＥｎ）を放出することも禁止するための手段（３４、３６）と、受信したセル間の空セル位置を検出し、それによって端末（ＴＥ０ｎ）によって生成されるセル（ＣＥｎ）の、検出した空セル位置への挿入を許可する手段（３５、３６）とを備える請求項１１に記載の端末装置。
【請求項１３】
同報通信手段（１）と収集手段（２）との間のデジタル・ローカル・ループ（ＢＬ０）中で端末（ＴＥ０ｎ）が他の端末（ＴＥ０１〜ＴＥ０Ｎ）中にカスケードに含まれる場合、空セル位置検出手段（３５、３６）が、前記端末（ＴＥ０ｎ）によって生成されるセルをその数が端末の数（Ｎ−ｎ＋１）に等しい空セル位置のうちの１つだけに挿入することを許可するために、前記端末（ＴＥ０ｎ）と収集手段（２）との間のループ中の前記端末の数（Ｎ−ｎ＋１）を法として、前記端末も含めて検出した空位置をカウントする請求項１２に記載の端末装置。
【請求項１４】
前記検出手段（３５、３６）が、空セル位置の頻度が所定のしきい値未満である場合にのみ、検出した空位置のカウント数の関数として前記端末（ＴＥ０ｎ）によって生成されるセルの挿入を許可する請求項１３に記載の端末装置。
【請求項１５】
端末（ＴＥ０ｎ）がオンのときにのみ、受信機手段（３１）による少なくとも同報通信ネットワーク・セル（ＣＲ）の受信と、エミッタ手段（３２、３３）によるセルの放出（ＣＲ、ＣＥｎ）とを許可し、端末がオフのときに、少なくとも同報通信ネットワーク・セルについて直接接続（ＰＩｎ−Ｐ０ｎ）を作成する請求項１１から１４のいずれか一項に記載の端末装置。
【請求項１６】
ＡＴＭモードでネットワーク・セルを搬送する電気通信回線に接続される装置であって、該装置は、
電気通信回線の受信チャネルを介して受信されるすべてのネットワーク・セルを端末に同報通信するための同報通信手段と、
端末によって生成されるセルを収集し、それらを電気通信回線の放出チャネルで送信するための収集手段と
を備えており、
前記同報通信手段は、前記受信チャネルを介して受信したネットワーク・セルを再生成するための入力手段と、それぞれ再生成されたすべてのセルを少なくとも１つの端末を含む複数のローカル・ループに同時に再送信するための複数の出力手段とを備えており、
前記収集手段は、ループ中の端末によって生成されるセルを同期し、再生成し、その結果再生成されたセルを提供するための、ローカル・ループにそれぞれ接続される複数の入力手段と、１サイクルあたり少なくとも１つのセルを含むバッファ・メモリを読み取ることによって、再生成したセルをセルごとに循環的に送信するための複数のバッファ・メモリとを備えている
ことを特徴とする端末装置。
【請求項１７】
前記同報通信手段は、受信チャネルからのネットワーク・セルをマーキングするための手段を備え、前記収集手段は、マーキング済みネットワーク・セルが放出チャネルで再放出されないようにするために、端末に同報通信されるマーキング済みネットワーク・セルをなくするための手段を備える請求項１６に記載の装置。
【請求項１８】
ＡＴＭモードでネットワーク・セルを搬送する電気通信回線に接続される装置を操作する方法であって、該方法は、
電気通信回線の受信チャネルを介して受信されるすべてのネットワーク・セルを端末に同報通信し、
端末によって生成されるセルを収集し、それらを電気通信回線の放出チャネルで送信する
ステップを備えており、
前記同報通信するステップは、前記受信チャネルを介して受信したネットワーク・セルを再生成し、それぞれ再生成されたすべてのセルを少なくとも１つの端末を含む複数のローカル・ループに同時に再送信するステップを含み、
前記収集、送信するステップは、ループ中の端末によって生成されるセルを同期し、再生成し、その結果再生成されたセルを提供し、さらに、複数のバッファ・メモリを用い、１サイクルあたり少なくとも１つのセルを含むバッファ・メモリを読み取ることによって、再生成したセルをセルごとに循環的に送信するステップを含む
ことを特徴とする方法。
【請求項１９】
前記同報通信するステップは、受信チャネルからのネットワーク・セルをマーキングするステップを含み、前記収集するステップは、マーキング済みネットワーク・セルが放出チャネルで再放出されないようにするために、端末に同報通信されるマーキング済みネットワーク・セルをなくするステップを含むことを特徴とする請求項１８に記載の方法。
【発明の詳細な説明】
【０００１】
（発明の背景）
本発明は、一般にクライアント端末電気通信装置(installations)に関する。
【０００２】
（発明の目的）
本発明は、単一技術を使用して、クライアントが所有する可能性がある様々な電気通信端末、オーディオビジュアル端末、およびホーム・オートメーション端末を最小のコストで統合するために、非同期転送モード（ＡＴＭ）伝送技術の利点をクライアント端末装置のデジタル端末に与えることを目的とする。
【０００３】
（発明の概要）
したがって、ＡＴＭモードでネットワーク・セルを搬送する電気通信回線に接続される、端末を含む通信装置は、電気通信回線の受信チャネルを介して受信されるすべてのネットワーク・セルを端末に同報通信するための同報通信手段と、端末によって生成されるセルを収集し、それらを電気通信回線の放出チャネルで送信するための収集手段とを備えることを特徴とする。用語「同報通信」は、用語「スイッチ」または「デマルチプレクス」とは対照的に、電気通信回線から来るすべての正しいセルが、各セルに含まれるどの宛先アドレスとも無関係に端末に到達することを示す。この同報通信手段および収集手段は、クライアント端末装置のための単一のＡＴＭネットワーク回線終端を共に形成する。ＡＴＭセルのサイズ、特にセルのヘッダのサイズは、本発明の端末装置で未変更のままであり、ユーザ・ネットワーク・インターフェース（ＵＮＩ）での標準化セルのサイズである。
【０００４】
この同報通信手段は、受信デジタル・リンク中の受信チャネルを介して受信したネットワーク・セルを再生成するための入力手段と、受信リンクに接続され、少なくとも１つの端末を含む複数のローカル・ループでそれぞれ再生成されたすべてのセルを同時に再送信する複数の出力手段とを備える。各ループでのビット伝送速度は、一般に電気通信回線でのビット伝送速度以下であるが、端末間相互通信応用例では電気通信回線よりも速くすることができる。
【０００５】
この同報通信手段および収集手段は、すべての受信されたネットワーク・セルが同報通信されるデジタル・ローカル・ループとすることができる。少なくとも１つのループは、端末、または複数のカスケード接続の端末、および／または少なくとも１組の他の同報通信手段および収集手段を含む。ループ中の端末と、同様の同報通信手段および収集手段のセットは、カスケード接続することができる。
【０００６】
この収集手段は、ループ中のそれぞれの端末によって生成されるセルを同期し、再生成するための、それぞれのローカル・ループに接続される複数の入力手段と、１サイクルあたり少なくとも１つのセルを含むバッファ・メモリだけを読み取ることによって、再生成したセルを放出デジタル・リンクでセルごとに循環的に送信するための複数のバッファ・メモリと、送信デジタル・リンクからのセルを放出チャネルで送信するための出力手段とを備える。各サイクルで空バッファ・メモリをスキップすることによってバッファ・メモリをセルごとに読み取ることは高速であり、これにより、同報通信手段内部の共通放出リンクへのローカル・ループの平等なアクセスが保障される。
【０００７】
好ましくは、受信チャネルからのネットワーク・セルをマーキングするための同報通信手段中の手段と、端末に同報通信する、マーキング済みネットワーク・セルをなくするための収集手段中の手段とが、ＡＴＭネットワークで再送信すべき、端末によってローカルに生成されるＡＴＭセルのために提供される。
【０００８】
好ましい実施形態によれば、このマーキング手段は、受信デジタル・リンク中の入力手段と、前記複数の出力手段との間に接続され、このマーキング手段は、ネットワーク・セルのヘッダ中の所定のフィールドの状態を変更し、次いでヘッダのエラー制御フィールドを計算する。このなくする手段は、バッファ・メモリ中のマーキング済みネットワーク・セルの書込みを禁止し、端末によって生成される未マークのセルの書込みだけを許可し、その結果これらのセルは放出デジタル・リンクで送信される。
【０００９】
クライアントと、各端末への複数の接続を保証する際に内部配線の量を増大させないために、本発明者は、同報通信手段および収集手段中のいくつかの機能性アドオンだけによって、装置の端末のための端末間相互接続機能を提供する。したがって装置は、受信したネットワーク・セルで端末に同報通信するために、端末によって生成されるＡＴＭ相互接続セルを、そのセルを収集手段から同報通信手段に切り替えるための手段を備える。同報通信手段と収集手段の複数の対が以下に説明するようにカスケード接続される場合に、装置のコストおよび複雑さを増大させないために、ＡＴＭ相互通信セル交換手段が、ＡＴＭネットワークの電気通信回線に直接接続される同報通信手段および収集手段だけで提供される。
【００１０】
好ましい実施形態によれば、この交換手段は、受信デジタル・リンクで空セル位置を検出するための第１手段と、放出デジタル・リンクからのセル中の所定の第１アドレス指定フィールド読取りに応答して相互通信セルを検出し、放出デジタル・リンクからのセル中の所定の第２アドレス指定フィールド読取りに応答して端末によって生成されるセルを検出するための第２手段と、検出した相互接続セルが第２検出手段の制御の下で書き込まれ、第１検出手段の制御の下で読み取られ、それによって検出した相互接続セルが受信デジタル・リンク中の空セル位置に導入されるバッファ・メモリとを備える。
【００１１】
各アドレス指定フィールドは、ＡＴＭチャネル・ヘッダ中の仮想チャネル識別子とすることができ、より一般には、ＡＴＭセルのヘッダ中の仮想経路および仮想チャネル識別子フィールドＶＰＩ／ＶＣＩの少なくとも一部とすることができる。
【００１２】
ネットワーク端末および装置の端末により、２つの異なるアドレスによって各端末を指定することができるとき、この交換手段は、相互通信セルのヘッダ中の所定のフィールドの状態を変更することによって、検出した相互通信セルをマーキングするための手段と、相互通信セルのヘッダ中のエラー制御フィールドを計算するための手段とを備える。
【００１３】
各端末が少なくとも１つのアドレス（識別子）だけを、さらには複数の所定のアドレスを認識することができる場合、この交換手段は、マッピング・テーブルを用いて、検出した相互通信セルの第１アドレス指定フィールドを第２アドレス指定フィールドに変換するための手段をさらに備える。
【００１４】
この所定のフィールドは、ＡＴＭセルのヘッダ中のフロー制御フィールドの少なくとも一部とすることができる。
【００１５】
好ましい実施形態によれば、各端末は、ループ中の少なくとも同報通信ネットワーク・セルを受信するための受信機手段と、端末によって生成されるセルを受信機手段によって受信したセル間の空セル位置以外に挿入するための手段と、受信したセルおよび端末によって生成されるセルを収集手段に放出するための放出手段とを備えるアダプタによって、各端末が含まれるループに接続される。
【００１６】
各端末についての前記挿入手段は、受信したセルを検出し、それによって、受信機手段とエミッタ手段との間での受信したネットワーク・セルの転送の間に、端末によって生成されるどのセルを放出することも禁止するための手段と、受信したセル間の空セル位置を検出し、それによって端末によって生成されるセルの、検出した空セル位置への挿入を許可すると共に、ループ中の前記端末の後の端末によって生成されるセルが利用可能な空位置を保持するための手段とを備えることができる。さらに、同報通信手段と収集手段との間のデジタル・ローカル・ループ中で端末が他の端末とカスケード接続する場合、空セル位置検出手段は、前記端末によって生成されるセルを、その数が端末の数に等しい空セル位置のうちの１つだけに挿入することを許可するために、前記端末と収集手段との間のループ中の端末の数を法として、前記端末を含めて検出した空位置をカウントする。
【００１７】
好ましくは、この検出手段は、空セル位置の頻度が所定のしきい値未満である場合にのみ、検出した空位置のカウント数の関数として前記端末によって生成されるセルの挿入を許可する。
【００１８】
この端末アダプタは、端末がオンのときにのみ、受信機手段による少なくとも同報通信ネットワーク・セルの受信と、エミッタ手段によるセルの放出とを許可し、端末がオフのときに、少なくとも同報通信ネットワーク・セルについての直接接続を作成する交換手段を備えることが好ましい。したがってこの交換手段は、ループ中の端末の一部がオフの場合であってもループ中のセルの送信を保持する。
【００１９】
本発明の他の特徴および利点は、以下の本発明の複数の好ましい実施形態の説明を読むことによって明らかとなろう。以下の説明では、対応する添付の図面を参照する。
【００２０】
（好ましい実施形態の説明）
図１を参照すると、デジタル・ネットワーク終端を介してＡＴＭ電気通信ネットワーク中のＡＴＭデジタル交換機に接続される２重デジタル・クライアント電気通信回線ＶＲ−ＶＥによって供給される複数端末クライアント装置は、レプリケータ−ルータと呼ばれるＡＴＭセル同報通信および収集システム１−２と、例えばクライアントの家の部屋など、クライアントの構内周辺に分布する少なくとも１組の複数の端末ＴＥとを本質的に含む。端末ＴＥは、マイクロコンピュータ、ホーム・オートメーション制御および／または監視システム、ローカル・サーバ、デジタル電話、ケーブル・テレビジョン受信機などにすることができる。
【００２１】
例えば、電気通信回線ＶＥ−ＶＲは、２つの平衡金属線対（ｂａｌａｎｃｅｄ  ｍｅｔａｌ  ｗｉｒｅ  ｐａｉｒｓ）ＶＥおよびＶＲから構成され、例えばＩＳＤＮまたはＡＤＳＬネットワーク・デジタル終端に接続される。回線の第１対は、ＡＴＭ交換機からレプリケータ−ルータ中に含まれるセル・ブロードキャスタ１に送信されるＡＴＭネットワーク・セルＣＲのフローを搬送するための物理受信チャネルＶＲを構成する。このブロードキャスタは、直接または間接に端末ＴＥを供給するＱ個の出力ポートＰＤ０〜ＰＤ（Ｑ−１）を介して、受信し、処理したセルをダウンリンク方向に同報通信する。回線の第２対は、端末からレプリケータ−ルータ中に含まれるセル・コレクタ２のＱ個の入力ポートＰＭ０〜ＰＭ（Ｑ−１）に送信されるＡＴＭセルのフローを搬送するための物理放出チャネルＶＥを構成する。このコレクタは、端末によってアップリンク方向に送信されるセルを収集する。
【００２２】
ポートＰＤ０−ＰＭ０〜ＰＤ（Ｑ−１）−ＰＭ（Ｑ−１）は、それぞれが少なくとも１つの端末を供給し、図の例では１対の金属線からなるデジタル伝送ローカル・ループＢＬ０〜ＢＬ（Ｑ−１）の端を形成する。しかし、これを除いて、ローカル・ループのすべてまたは一部は、ループの端のカップラ中と、ループ中に含まれる端末に関連するアダプタ中とで適切な電子−光学変換器および光学−電子変換器を備えるマルチモードまたはモノモード・プラスチック材料光ファイバからなることができる。この代替実施形態により、伝送ローカル・ループの近くで経路指定されるクライアントの電気的装置での高電流電線から出るローカル・ループ電気的干渉が解消される。別の代替実施形態は、ローカル・ループのすべてまたは一部を無線リンクからなるようにするためのものである。
【００２３】
以下の説明で参照を行うことになる例を提供するために、電気通信回線ＶＲ−ＶＢ中および端末ＴＥ間のループ・リンク中のビット伝送速度を３２Ｍビット／ｓとする。これは、以下のブロードキャスタ１での５Ｂ−４Ｂ  ２進トランスコーディングおよびコレクタ２での４Ｂ−５Ｂ  ２進コーディングの所定のビット伝送速度（４／５）３２＝２５．６Ｍビット／ｓに相当する。他の実施形態では、ビット伝送速度は、例えばブロードキャスタおよびコレクタで、ならびに後で説明する端末アダプタで１５５．５２Ｍビット／ｓに等しくなるなど、著しく大きくなる。
【００２４】
図１に示す実施形態では、ワイア対ＢＬ０〜ＢＬ（Ｑ−１）＝ＢＬ３を有するＱ＝４ローカル・ループは、それぞれポートＰＤ０−ＰＭ０〜ＰＤ（Ｑ−１）−ＰＭ（Ｑ−１）＝ＰＤ３−ＰＭ３の対によって接続され、ローカル・ループ・アーキテクチャのいくつかの例を意図的に含んでいる。
【００２５】
第１ローカル・ループＢＬ０は、カスケード接続されるＮ個のデジタル端末ＴＥ００〜ＴＥ０（Ｎ−１）を含む。後に理解するであろうが、各端末は、ループに接続されるアダプタ３を備える。ダウンリンク方向での第１端末ＴＥ００は、ブロードキャスタ出力ポートＰＤ０に接続されるアダプタ入力ポートＰＩ０を有し、最後の端末ＴＥ０（Ｎ−１）は、コレクタ入力ポートＰＭ０に接続されるアダプタ出力ポートＰ０（Ｎ−１）を有する。０＜ｎ＜Ｎ−１として、ループＢＬ０中の端末ＴＥ０ｎは、先行する端末ＴＥ０（ｎ−１）に関するアダプタ出力ポートに伝送ワイアの対を介して接続され、次の端末ＴＥ０（ｎ＋１）に関するアダプタ出力ポートＰＯｎに伝送ワイアの対を介して接続されるアダプタ入力ポートＰＩｎを有する。
【００２６】
ローカル・ループの他の例では、ループＢＬ１はいくつかの端末Ｔ１１およびＴＥ１２を含み、ループＢＬ２は、１つの端末ＴＥ２０だけを含む。このＡＴＭ装置は、スター・アーキテクチャを有する。
【００２７】
端末と同様に、本発明によるレプリケータ−ルータをカスケード接続することができる。例えば、最後のローカル・ループＢＬ（Ｑ−１）は、ブロードキャスタ１ａの入力ポートおよびコレクタ２ａの出力ポートが端末ＴＥ（Ｑ−１）０を介してブロードキャスタ１の出力ポートＰＤ（Ｑ−１）およびコレクタ２の入力ポートＰＭ（Ｑ−１）にそれぞれ接続される第２レプリケータ−ルータ１ａ−２ａを含む。例えば、第２レプリケータ−ルータ１ａ−２ａは、そのうちの１つを図１に示す複数のローカル・ループを供給し、かつ、複数の端末とカスケード接続される本発明による第３レプリケータ−ルータ１ｂ−２ｂと、それぞれ少なくとも１つの端末ＴＥおよび／または１つのレプリケータ−ルータを含むことができるレプリケータ−ルータ１ａ−２ａおよび１ｂ−２ｂによって供給される他のループとを含む。
【００２８】
本発明によれば、ＡＴＭセルの一部のフィールドは、レプリケータ−ルータ中で処理される。ＡＴＭセルのフォーマットを、本質的に本発明のレプリケータ−ルータおよびローカル・ループに必要な機能に関連して、図２を参照しながら以下で簡潔に説明する。
【００２９】
ＡＴＭセルは、５バイト・ヘッダと、一定サイズ４８バイトを有するペイロード・フィールドとを含む。
【００３０】
ヘッダの第１フィールドは、４ビットの一般フロー制御（ＧＦＣ）フィールドである。値「００００」が、電気通信回線の受信チャネルＶＲを介してＡＴＭローカル交換機によって送達されるすべてのネットワーク・セルＣＲ中にデフォルトで含まれる。
【００３１】
セル・ヘッダ中の次の６ハーフバイトは、８ビットの仮想経路識別子（ＶＰＩ）および２バイトの仮想チャネル識別子（ＶＣＩ）を含むアドレス指定フィールドＶＰＩ／ＶＣＩによって占められる。クライアント装置では、仮想経路はクライアント電気通信回線ＶＲ−ＶＥからなり、したがってＡＴＭローカル交換機は、仮想経路交差接続交換機である。フィールドＶＣＩは、装置中に含まれる宛先端末ＴＥのアドレスを含み、２つの離れた端末間のエンドツーエンド・ポイントツーポイント通信を提供する。
【００３２】
他の実施形態では、装置の識別子および装置の端末の識別子、または端末の識別子のみは、それが含む装置とは無関係に、オペレータおよび装置製造業者によって作成されるアドレス指定プランの関数として、アドレス指定フィールドＶＰＩ／ＶＣＩの全体の一部にわたって分布する。
【００３３】
ヘッダ中の第４バイトの第２ハーフバイトは、本発明と関連しない３つのフィールドＰＴ、ＲＥＳ、およびＣＬＰを含む。
【００３４】
ＡＴＭセルのヘッダの第５バイトおよび最終バイトは、ヘッダ・エラー制御（ＨＥＣ）フィールドを構成する。セルを送信する前に、フィールドＨＥＣの内容が、所定のアルゴリズムによってセルの最初の４バイトの関数として計算され、セルを受信された後、フィールドＨＥＣの内容が使用されて、受信したセルのヘッダ中の単一エラーが補正され、セル中に複数のエラーが検出された場合、または同じ論理チャネルＶＰＩ／ＶＣＩの所定の数の連続するセルで検出された場合にそのセルが拒絶される。セルが正しい場合、フィールドＨＥＣもセル識別子として使用される。
【００３５】
本発明のレプリケータ−ルータのブロードキャスタ１は、電気通信回線の受信チャネルＶＲを介して受信したＡＴＭセルをローカル・ループＢＬ０〜ＢＬ（Ｑ−１）に同報通信するレプリケータである。すなわち、ブロードキャスタ１は、受信した各ネットワーク・セルＣＲを各ローカル・ループ中でダウンリンク方向にコピーする。
【００３６】
図３に示すように、ブロードキャスタ１は、入力カップラ１１０およびＱ個の出力カップラ１２０〜１２（Ｑ−１）を含む。
【００３７】
入力カップラ１１はトランスコードを扱い、スクランブル解除し、セルからフレーム構成を抽出し、３２Ｍビット／ｓで着信フローを再生成し、セル・フレームを検出するためおよび受信したＡＴＭセルを再整列するために使用する所定のバイトをなくすることによって、５Ｂ−４Ｂトランスコーダを用いて２５．６Ｍビット／ｓで内部フローを生成する。カップラ１１は、３２ＭＨｚクロック信号を回復し、その周波数を分周した後、２５．６／８＝３．２ＭＨｚのセル・バイト・クロック信号ＨＯＣをすべての出力カップラ１２０〜１２（Ｑ−１）に印加する。信号ＨＯＣは、入力カップラ１１によって、受信したセルのバイトを出力カップラの入力ポートに同報通信する８つの導体上の内部デジタル受信リンク・バスＢＲで送信される、受信した５３バイトＡＴＭセルのバイトに同期する。
【００３８】
クロック信号ＨＯＣと同期して、出力カップラ１２０〜１２（Ｑ−１）は、各パラレル・セル・バイトを８つのシリアル・ビットに変換し、セルをフレーミングし、スクランブルし、ダウンリンク方向に出力ポートＰＤ０〜ＰＤ（Ｑ−１）を介してローカル・ループＢＬ０〜ＢＬ（Ｑ−１）で同報通信されるセルのフローを４Ｂ−５Ｂコードに従ってトランスコードする。
【００３９】
セルを適切に同報通信することは、各セルのヘッダへの推測的な変更を必要としない。具体的には、ネットワーク・セル・フィールドＧＦＣ−「００００」およびアドレス指定フィールドＶＰＴ／ＶＣＩを、ブロードキャスタ１を通過するネットワーク・セルとして保持することができる。
【００４０】
ループＢＬ０などのローカル・ループ中に端末ＴＥ０ｎがある限り、図４に示す端末アダプタ３は、ＴＥ０ｎと示される各端末の前方に含まれる。
【００４１】
ブロードキャスタのカップラ１１と同様に、アダプタの受信機回路３１は、５Ｂ−４Ｂコードにトランスコードし、スクランブル解除し、セルからフレーム構成を抽出し、着信ループ・フローを３２Ｍビット／ｓで再生成し、内部フローを２５．６Ｍビット／ｓで生成する。回路３１は、バイトをパラレル形式に変換し、ブロードキャスタ１中のそれぞれの入力カップラ１２０によって、少なくとも１つの先行する端子ＴＥ（ｎ−１）によって生成されるセルが利用可能なダウンリンク方向に送信されるすべてのＡＴＭセルをバイトごとに、アダプタ内部の８導体バスを介して、端末自体ＴＥ０ｎのセル入力ポートＥＳと、ＢＡ放出回路３２の入力ポート３２Ｅとに向けて送る。端末自体ＴＥ０ｎは、それに放出されたセルを仮想チャネル識別子ＶＣＩの関数としてサンプリングする。回路３１中で受信されるセルと、セル出力ポートＳＣおよびアップリンク・セルＦＩＦＯバッファ・メモリ３３を介して端末自体ＴＥ０ｎによって生成されるＡＴＭセルＣＥｎとは、バスＢＡで混合され、放出回路３２を通過し、少なくとも１つの端末ＴＥ０（Ｎ＋１）を介して利用可能なコントローラ入力ポートＰＭ０に伝送される。ブロードキャスタ１の各出力カップラ１２ｑと同様に、放出回路３２は、セル・バイトをシリアル化し、回路３１および端末ＴＥ０ｎによって送信されるセルをフレームに構成し、スクランブルし、４Ｂ−５Ｂコードにトランスコードする。
【００４２】
実際には、アダプタ３のループ・ポートＰＩｎおよびＰＯｎは、端末ＴＥ０ｎがオンとなるときに端末ＴＥ０ｎによって送達される「オン」状態の制御信号に応答して、端末ＴＥ０ｎが動作しているときに、４ポート交換機３０を介して受信回路３１の入力と、放出回路３２の出力とにそれぞれ接続される。端末ＴＥ０ｎがオフとなる場合、制御信号は「オフ」状態となり、交換機３０はアイドル位置となり、ループＢＬ０中のセルがアダプタの内部回路３１および３２を通過することなく、ネットワーク・セルと先行する端末ＴＥ００〜ＴＥ０（ｎ−１）によって生成されるセルを同報通信するためにポートＰＩｎおよびＰＯｎを直接接続する。
【００４３】
アダプタ３では、手段は、回路３１によって受信されるセル間の空セル位置での端末によって生成されるセルＣＥｎを挿入し、空セルを、ループＢＬ０中の後続の端末ＴＥ０（ｎ＋１）〜ＴＥ０（Ｎ−１）が利用可能なままにしておくためのものである。前述の手段は、ＧＦＣフィールド検出器３４、空セル検出器／カウンタ３５、および端末セル挿入回路３６を含む。検出器３４は、ＡＴＭネットワークによって同報通信ポートＰＤ０を介して送信される「００００」（または「０００１」、以下参照）でのフロー制御フィールドＧＦＣを有する、データが「一杯の」セルを検出し、先行する端末ＴＥ０〜ＴＥ（ｎ−１）によって生成されるフィールドＧＦＣ＝「００００」を有する利用可能なセルの場所を検出し、その結果回路３６は、受信回路３１から放出回路３２への受信した各セルの再送信の間、端末ＴＥ０ｎによってＦＩＦＯメモリ３３にすでに書き込まれた端末セルＣＥｎの読取りを禁止する。検出器／カウンタ３５は、「一杯の」セルの間の空セル、すなわち空セル位置を検出し、空セル検出済みモジュロ（Ｎ−ｎ＋１）をカウントし、その結果回路３６は、ＦＩＦＯメモリ３３中の端末セルＣＥｎの読取りと、この読取りセルの、バスＢＡ上で回路３１によって送信されるセルのダウンリンク・フローで検出した（Ｎ−ｎ＋１）個の空セルごとの挿入を許可する。（Ｎ−ｎ＋１）個の空セルのうち、放出回路３２からのセルの発信フロー中のＮ−ｎ個の空セルが、後続の端末ＴＥ０（ｎ＋１）〜ＴＥ０Ｎによって生成されるセルによって置換するために利用可能である。
【００４４】
空セル検出器／カウンタ３５は、空セルの不使用を回避するために、空セルの周期が所定のしきい値未満である場合、すなわちアダプタ入力ポートＰＩｎでの空セル資源が少なくなっている場合にのみ、セル挿入回路３６を活動化することが好ましい。
【００４５】
別の実施形態では、端末ＴＥ２０を有するループＢＬ２などのように、ループが１つの端末だけを含む場合、回路３３〜３６を省くことができ、受信回路３１と送信回路３２間の８導体ループ・バスＢＡも同様である。
【００４６】
レプリケータ−ルータ１−２のコレクタ２を図５に詳細に示す。コレクタ２は、コレクタ入力ポートＰＭ０〜ＰＭ（Ｑ−１）に接続されるＱ個の入力カップラ２１０〜２１（Ｑ−１）、パラレルビット・バイト・バスによって入力カップラに接続されるＱ個のＦＩＦＯバッファ・メモリ２２０〜２２（Ｑ−１）、パラレルビット・バイトのための送信デジタル・リンク・バスＢＥによってＦＩＦＯメモリ出力に接続される出力カップラ２３、および制御回路２４を含む。入力カップラ２１０〜２１（Ｑ−１）は、５Ｂ−４Ｂトランスコーディング、スクランブル解除、セルからのフレーム構成の抽出、およびループによって送信されるセルのアップリンク・フローの再生成を扱う。入力カップラ２１０〜２１（Ｑ−１）は、ＡＴＭネットワークに来るセルＣＲを非対称に受信し、ブロードキャスタ１によって同報端末によって生成されるセルＣＥを同報通信し、ローカル・ループＢＬ０〜ＢＬ（Ｑ−１）のアップリンク・チャネルを介して送信され、受信したセルＣＲおよびＣＥの開始を制御回路２４に示し、ブロードキャスタ１の出力カップラ２３または入力カップラ１１によって供給される３．２ＭＨｚのバイト・クロック信号ＨＯＣを用いて受信したセルを再生し、同期する。したがって制御回路２４は、セルＣＲおよびＣＥをバイトごとに、バイト・クロックに同期してメモリ２２０〜２２（Ｑ−１）に書き込む。
【００４７】
ＦＩＦＯメモリ２２０〜２２（Ｑ−１）によって収集されるＡＴＭセルは、バスＢＥでの、ＦＩＦＯメモリ中への着信フローと、ＦＩＦＯメモリからの発信フローとが３．２Ｍバイト／ｓであるのでセル・オーバラップを防止するため、かつセルごとにＦＩＦＯメモリを急速に空にするために回路２４の制御の下で、共通放出デジタル・リンク・バスＢＥで出力カップラ２３に平等に経路指定される。
【００４８】
ＦＩＦＯメモリ２２０〜２２（Ｑ−１）は、図６に示すアルゴリズムに従って読み取られる。モジュロＱメモリ・カウンタＣＰＴは、信号ＨＯＣと同期した５３バイト・セル周波数のｓｔａｒｔ−ｏｆ−ｃｅｌｌクロック信号ＨＣに応答して１ユニットだけ増分され、入力カップラに供給される。ｓｔａｒｔ−ｏｆ−ｃｅｌｌ信号ＨＣの各パルスごとに、０＜ｑ≦Ｑ−１として、ＦＩＦＯメモリの１つの２２ｑの内容がスキャニング・ステップＥＳｑでスキャンされる。メモリ２２ｑが少なくとも１つのセルを含む場合、回路２４は、読取りステップＥＬｑの間、そのメモリ中に書き込まれた第１セルの読取りと、バイトごとのバスＢＥでのその転送とを制御する。次いでカウンタＣＰＴは、スキャニング・ステップＥＳ（ｑ＋１）の間に次のメモリ２２（ｑ＋１）を読み取るために１だけ増分され、以下同様である。ステップＥＳｑでメモリ２２ｑ中にセルが存在しない場合、アルゴリズムは、次のｓｔａｒｔ−ｏｆ−ｃｅｌｌクロック信号のパルスを待機することなく、読み取るセルを含むメモリ全体にわたって、またはカウンタＣＰＴが増分される前にすべてのメモリをスキャンするまで、ＨＣの次のメモリ２２（ｑ＋１）をスキャンする。このアルゴリズムにより、送信バスＢＥでの、放出するための端末セルを有さないローカル・ループへの空セル位置の不要な割振りが防止される。
【００４９】
図５に戻ると、出力カップラ２３は、ブロードキャスタの入力カップラ１１によって実行されるオペレーションと逆のオペレーションを実行する。出力カップラ２３は、バスＢＥ中のバイトをシリアル・ビットに変換し、ＡＴＭセル・フレームを構成し、スクランブルし、ＦＩＦＯメモリ２２０〜２２（Ｑ−１）で読み取られ、収集され、内部バスＢＥで所定のビット転送速度２５．６Ｍビット／ｓで多重化されるセルを４Ｂ−５Ｂコードにトランスコードし、それを電気通信回線の放出チャネルＶＥでビット転送速度３２Ｍビット／ｓで再送信する。
【００５０】
上述の実施形態では、ブロードキャスタ１の入力カップラ１１中の回線受信チャネルＶＲから受信され、ローカル・ループＢＬ〜ＢＬ（Ｑ−１）を介して移動するネットワーク・セルＣＲは、コレクタ２の入力カップラ２１０〜２１（Ｑ−１）によってＡＴＭネットワークで回線放出チャネルＶＥに再送信される。装置によって受信されるこのセルの再送信を防止するために、当初、状態「００００」でブロードキャスタ１によって受信されるネットワーク・セルＣＲのフロー制御フィールドＧＦＣは、図３に示すように、カップラ１１の出力ポートとカップラ１２０〜１２（Ｑ−１）の入力ポートの間のバスＢＲ中に挿入されるネットワーク・セル・マーキングおよびエラー制御フィールド計算回路（ｎｅｔｗｏｒｋ  ｃｅｌｌ  ｍａｒｋｉｎｇ  ａｎｄ  ｅｒｒｏｒ  ｃｏｎｔｒｏｌ  ｆｉｅｌｄ  ｃａｌｃｕｌａｔｉｎｇ  ｃｉｒｃｕｉｔ）１３で、所定の状態、例えば「０００１」で置換される。ネットワーク・セルのヘッダが変更されるので、マーキング済み各ネットワーク・セルＣＲＭのエラー制御フィールドＨＥＣは、回路１３で再計算される。図５に戻ると、コレクタ入力カップラ２１０〜２１（Ｑ−１）はそれぞれ、ループによって再送信されたフィールドＧＦＣ＝「０００１」を有するマーキング済みネットワーク・セルＣＲＭを検出し、それを制御回路２４にレポートする。ＦＩＦＯメモリ２２０〜２２（Ｑ−１）では、回路２４は、フィールドＧＦ「０００１」によってマーキング済みネットワーク・セルＣＲＭの書込みを禁止し、ローカル・ループＢＬ０〜ＢＬ（Ｑ−１）中の端末で生成されたフィールドＧＦ＝「０００１」を有するセルＣＥの書込みだけを許可する。
【００５１】
図７および８を参照すると、レプリケータ−ルータ１−２は、端末ＴＥ０ａの出力ポートＳＣ（図４）などのループの端末の出力で生成される相互通信セルＣＩをクライアント装置内のポイントツーポイント相互通信のためにループの他の端末に再注入するレプリケータ−ルータ１ｉ−２ｉによって置換される。生成される相互通信セルＣＩは、フロー制御フィールドＧＦＣ＝「００００」を有し、端末のためのネットワーク・セルＣＲＭと同様に、あらかじめマーキングされない。それでも、相互通信セルＣＩは、端末によって生成されるセルＣＥとは区別され、その結果コレクタ２ｉでは、相互通信セルＣＩがブロードキャスタ１ｉに切り替えられ、端末によって生成されるセルＣＥは、回線放出チャネルＶＥに向けて送られる。この区別は、アドレス指定フィールドＶＰＩ／ＶＣＩの仮想チャネル識別子ＶＣＩにあり、ここで説明する実施形態では、受信チャネルＶＲを介して受信されるネットワーク・セルＣＲと、端末によって生成されるセルＣＥに対しては所定の数ＭＴ＝３２以上であり、本発明によれば、相互通信セルＣＩに対しては厳密にＭＴ＝３２未満である。パラメータＭＴは、相互通信で参加することができる装置中の端末の最大数を決定する。
【００５２】
相互通信の第１実施形態では、装置の各端末ＴＥが、装置の端末にアドレス指定される何らかの端末送信セルによって通常それに割り当てられる１つの識別子ＶＣＩだけを認識すると仮定する。
【００５３】
図７に示すブロードキャスタ１ｉと、図８に示すコレクタ２ｉは、カップラ１１および１２０〜１２（Ｑ−１）と、ネットワーク・セル・マーキングおよびエラー制御フィールド計算回路１３と、カップラ２１０〜２１（Ｑ−１）および２３と、ＦＩＦＯバッファ・メモリ２２０〜２２（Ｑ−１）と、フィールドＧＦＣ＝「０００１」を有し、ループを介して移動した、マーキング済みセルをＦＩＦＯメモリ中に書き込まないようにするために省略し、図６のアルゴリズムに従って装置の端末によって送信されたセルのＦＩＦＯメモリ中の書込み、読取りのみを制御する制御回路２４とを含む。
【００５４】
図７に示すブロードキャスタ１ｉは、マーキング済みセルＦＩＦＯメモリ１４、相互通信セルＦＩＦＯメモリ１５、および図３に示す入力カップラ１１中に部分的に含まれる受信時間ベース１６をさらに含む。マーキング済みセル・メモリ１４は、回路１３と出力カップラ１２０〜１２（Ｑ−１）の入力ポートとの間のブロードキャスタ内部で、３．２ＭＨｚの８導体受信バスＢＲで相互接続される。相互通信セル・メモリ１５の８出力ポートは、ローカル・ループＢＬ０〜ＢＬ（Ｑ−１）で同報通信すべき相互通信セルを、受信したネットワーク・セル間、すなわちマーキング済みセルＣＲＭ間の空セル位置に導入することができるようにするために、受信バスＢＲに接続される。時間ベース１６は、回路１３によって供給されるマーキング済みネットワーク・セルＣＲＭをメモリ１４中に書き込むための書込み制御信号ＷＣＲと、メモリ１４中のネットワーク・セルを読取り制御信号ＲＣＲとを、セルが装置で同報通信されるリズムで系統的に生成するために、入力カップラ１１によって確立されるｓｔａｒｔ−ｏｆ−ｎｅｔｗｏｒｋ−ｃｅｌｌ  ＣＲ信号を受信する。入力カップラ１１も受信チャネルＶＲで受信したネットワーク・セルＣＲ間の空セル位置を時間ベース１６に伝え、時間ベース１６は、メモリ１５中の相互通信セルを読み取り、それらをマーキング済みネットワーク・セルＣＲＭ間に受信バスＢＲで導入するために、読取り制御信号ＲＣＩを生成する。
【００５５】
図８に示すコレクタ２ｉは、仮想チャネル識別子検出回路２５、未マーク・ネットワーク・セルＦＩＦＯメモリ２６、ならびに仮想チャネル識別子変換、セル・マーキング、およびエラー制御フィールド計算回路（ｖｉｒｔｕａｌ  ｃｈａｎｎｅｌ  ｉｄｅｎｔｉｆｉｅｒ  ｔｒａｎｓｌａｔｉｎｇ，  ｃｅｌｌ  ｍａｒｋｉｎｇ  ａｎｄ  ｅｒｒｏｒ  ｃｏｎｔｒｏｌ  ｆｉｅｌｄ  ｃａｌｃｕｌａｔｉｎｇ  ｃｉｒｃｕｉｔ）２７をさらに含む。検出回路２５およびメモリ２６は、コレクタ内部の８導体放出バスＢＥで、ＦＩＦＯメモリ２２０〜２２（Ｑ−１）の８出力ポートと出力カップラ２３の８入力ポートとの間にカスケード接続される。回路２７は、検出回路２５の８出力ポートと、ブロードキャスタ１ｉ中のメモリ１５の８入力ポートとの間に接続される。
【００５６】
回路２５は、クライアント電気通信装置で端末によって生成されるセルの間で、離れた端末にアドレス指定され、電気通信回線の放出チャネルＶＥを介して送信すべきネットワーク・セルＣＥと、装置の端末にアドレス指定され、ブロードキャスタ１ｉによって同報通信すべき相互通信セルＣＩとを区別する。メモリ２２０〜２２（Ｑ−１）のうちの１つで読み取られるセル中で検出される所定の数ＭＴ＝３２以上の仮想チャネル識別子ＶＩＣに応答して、検出回路２５は、書込み制御信号ＳＣＲをＦＩＦＯメモリ２６に印加し、その結果読取りセルは、フィールドＧＦＣ＝「００００」を有する未マークのネットワーク・セルＣＥとしてメモリ２６中に書き込まれ、次いでそれを回線放出チャネルＶＥで送信するために出力カップラ２３の制御の下で読み取られる。
【００５７】
検出される識別子ＶＣＩがＶＣＩ＜ＭＴである場合、検出回路２５は、書込み制御信号ＷＣＩをＦＩＦＯメモリ１５（図７）に印加し、その結果メモリ２２０〜２２（Ｑ−１）のうちの１つで読み取られるセルは、回路２７で相互通信セルＣＩとして処理され、次いでブロードキャスタ１ｉの受信バスＢＲ中のマーキング済みネットワーク・セルＣＲＭ間にそれを挿入する間にメモリ１５中に書き込まれる。回路２７では、処理すべき相互通信セルＣＩ中の識別子ＶＣＩ＜ＭＴは、識別子ＶＰＩ＜ＭＴと識別子ＶＰＩ≧ＭＴ＝３２を関係付けるプログラム可能仮想チャネルマッピング・テーブルを用いて、ＭＴ以上であり、かつセル読み込みがそこにアドレス指定される装置の端末に対応する仮想チャネル識別子ＶＣＩに変換される。セルＣＩのフロー制御フィールドＧＦＣ＝「００００」は、回路２７で「０００１」に変換される。回路２７セル・メッセージを回路２７の経路指定アドレスで送信する装置の所定の端末によって、マッピング・テーブルをプログラムすることができる。したがって相互通信セルＣＩは、ブロードキャスタ１ｉでのマーキング済みネットワーク・セルＣＲＭと同様に、マーキング済みセルＣＭＩとなり、したがって装置のループのすべてを通過した後、回路２４によって除去される。変換後識別子ＶＰＩおよび変換後制御フィールドＧＦＣが相互通信セルＣＩのヘッダを変更するので、したがってそのエラー制御フィールドＨＥＣは、回路２７で再計算される。したがってメモリ１５中に書き込まれるマーキング済み相互通信セルＣＩＭは、回路２５によって検出される相互通信セルＣＩでの識別子ＶＣＩと、フィールドＧＦＣおよびＨＥＣとは異なる識別子ＶＣＩおよびフィールドＧＦＣおよびＨＥＣを含む。
【００５８】
相互通信の第２実施形態では、装置の各端末ＴＥは、異なるか、または既に述べたようにセルのアドレス指定フィールドＶＰＩ／ＶＣＩ中にそれぞれ含むことができる２つの識別子ＶＣＩを認識することができる。第１識別子は、通常、受信チャネルＶＲを介してネットワーク・セルを送信し、ＭＴ＝３２以上である離れた端末によって割り当てられる識別子である。本発明によれば、第２識別子は、他の装置の端末にＡＴＭ相互通信セルを送信するように要求し、厳密にＭＴ未満である装置の端末によって割り振られる識別子である。
【００５９】
この第２実施形態に対して、変換、マーキング、および計算回路２７での識別子変換関数は不要となり、相互通信セルＣＩは、コレクタ２ｉの放出バスＢＥからブロードキャスタ１ｉ中の受信バスＢＲに回路２５および２７と、メモリ１５とを介して転送される際にその識別子を保持する。
【図面の簡単な説明】
【図１】  本発明によるＡＴＭベースの複数端末クライアント内部装置のブロック図である。
【図２】  クライアント−ネットワーク・インターフェースでのＡＴＭの従来技術フォーマットを示す図である。
【図３】  装置に含まれるＡＴＭネットワーク・セル・ブロードキャスタのブロック図である。
【図４】  装置に含まれる端末用のアダプタのブロック図である。
【図５】  装置に含まれるＡＴＭネットワーク・セル・コレクタのブロック図である。
【図６】  コレクタ中のバッファ・メモリをスキャンするためのアルゴリズムである。
【図７】  第２実施形態によるＡＴＭネットワーク・セルおよびＡＴＭ相互通信セル・ブロードキャスタのブロック図である。
【図８】  第２実施形態によるＡＴＭネットワーク・セルおよびＡＴＭ相互通信セル・コレクタのブロック図である。
【図１】
0004562969.tif 000002
【図２】
0004562969.tif 000003
【図３】
0004562969.tif 000004
【図４】
0004562969.tif 000005
【図５】
0004562969.tif 000006
【図６】
0004562969.tif 000007
【図７】
0004562969.tif 000008
【図８】
0004562969.tif 000009